(57)【要約】【課題】検索手順を誤った場合でも簡単に検索をやり直すことができると考えた。また、他の検索機会にその区別したレコードを再検討することで、一度の検索機会に目的が達成できなくても、別の機会に継続して検索を続けることができる情報検索装置を提供する。【解決手段】各種情報を表すレコードを蓄積したデータベースにアクセスする手段と、利用者入力された検索クエリーを受け付けて該当するレコードの一覧を閲覧可能にして出力する検索結果出力手段と、前記一覧から何れか１つ以上のレコードを選出レコードとして指定した利用者入力を受け付け、当該選出レコードを個別レコード集として識別管理する個別レコード集管理手段と、所定の利用者入力を受け付けて、前記個別レコード集の内容を閲覧可能にして出力する個別レコード集提示手段とを備えた情報検索装置としている。【選択図】　　　図２
2004139154.tif 000002
【特許請求の範囲】
【請求項１】
各種情報を表すレコードを蓄積したデータベースにアクセスする手段と、
利用者入力された検索クエリーを受け付けて該当するレコードの一覧を閲覧可能にして出力する検索結果出力手段と、
前記一覧から何れか１つ以上のレコードを選出レコードとして指定した利用者入力を受け付け、当該選出レコードを個別レコード集として識別管理する個別レコード集管理手段と、
所定の利用者入力を受け付けて、前記個別レコード集の内容を閲覧可能にして出力する個別レコード集提示手段と、
を備えたことを特徴とする情報検索装置。
【請求項２】
請求項１記載の情報検索装置において、複数の前記個別レコード集を併合する旨の利用者入力を受け付け、当該複数の個別レコード集に含まれているレコードを一つの個別レコード集として識別管理する手段を備えたことを特徴とする情報検索装置。
【請求項３】
請求項１または２記載の情報検索装置において、前記個別レコード集の内容を閲覧可能にして出力している状態で当該個別レコード集から何れか１つ以上のレコードを指定した利用者入力を受け付け、当該指定されたレコードを当該個別レコード集とは別の個別レコード集として識別管理する手段を備えたことを特徴とする情報検索装置。
【請求項４】
請求項１〜３のうち何れか１項記載の情報検索装置において、前記個別レコード集の内容を閲覧可能にして出力している状態で、当該個別レコード集に属する複数のレコードを選出する旨の利用者入力を受け付け、これら複数のレコードを対応付けして識別管理する手段を備えたことを特徴とする情報検索装置。
【請求項５】
請求項４において、前記検索結果出力手段は、ある検索クエリーに基づいて閲覧可能にして出力したレコード一覧中に前記対応付けされているレコードが存在する場合、当該対応付けされているレコードを利用者に提示する手段を含むことを特徴とする情報検索装置。
【請求項６】
請求項１〜５のうち何れか１項記載の情報検索装置において、利用者が指定した個別レコード集を検索対象として検索クエリーを受け付け、該当するレコードの一覧を閲覧可能にして出力する手段を備えたことを特徴とする情報検索装置。
【請求項７】
請求項１〜６のうち何れか１項記載の情報検索装置において、前記検索結果出力手段により閲覧可能にして出力したレコード一覧より選出されて前記個別レコード集として識別管理されレコードと、当該レコード一覧の出力起源となった検索クエリーとを関連付けする手段を備えたことを特徴とする情報検索装置。
【請求項８】
請求項７記載の情報検索装置において、前記検索結果出力手段は、ある検索クエリーＡが、あるレコードＢに関連付けられた検索クエリーＣと所定以上の一致度を有している場合に、当該検索クエリーＡに基づき閲覧可能にして出力するレコード一覧において前記レコードＢを優先的に提示することを特徴とする情報検索装置。
【発明の詳細な説明】
【０００１】
【発明の属する技術分野】
この発明は、大量のレコードを蓄積したデータベースに利用者入力により受け付けた検索クエリーを照会し、該当するレコードを利用者に提示出力する情報検索装置に関する。
【０００２】
【従来の技術】
情報通信技術の進歩と利用普及に伴って、利用者は、膨大な量の情報を蓄積管理するデータベースから目的とする情報を入手することが可能となった。その反面、膨大な情報の中から、利用者が本当に目的としている情報を見いだすことが困難になってきた。そこで、利用者が情報を入手する際に、各種情報についての内容や所在を利用者に提示する情報検索装置が必要となる。
【０００３】
たとえば、インターネット上で利用者が目的とする情報が掲載されているＷｅｂページを入手しようとする場合、検索サイトと呼ばれるＷｅｂサイトが広く活用されている。検索サイトでは、検索エンジンと呼ばれる情報検索装置が稼働している。この検索エンジンは、Ｗｅｂサーバーと協調するコンピュータシステムあるいはプログラムであり、ＷｅｂページやＷｅｂサイトなど膨大な数のＷｅｂ情報の中から利用者が得ようとするＷｅｂ情報を提示し、最終的にその情報へ利用者をアクセスさせるための情報検索サービスを提供している。
【０００４】
検索エンジンは、インターネット上にある膨大な情報について、その内容や所在など、利用者が最終的に入手したい情報への手がかりとなる情報（レコード）を、付帯するデータベースに蓄積管理している。そして、パーソナルコンピュータなど、利用者が操作するブラウザを実装したコンピュータ（ブラウザ端末）から受け付けた検索クエリーをデータベースに照会して該当するレコードの一覧をＷｅｂページの体裁で検索結果として返送する。レコードの内容としては、情報源の所在（ＵＲＬ）から入手できる全情報である場合もあるし、全情報の要約や抜粋情報である場合もある。利用者は検索結果として提示されたレコード一覧から入手希望の情報についての内容が記載されていると思われるレコードを見いだし、そのレコードに付されたＵＲＬをブラウザによって指定し目的とする情報を入手する。
【０００５】
情報検索装置における検索方式には受け付ける検索クエリーの違いなどによって、キーワード検索とディレクトリ型検索とがある。キーワード検索は、ブラウザ端末から受け付けた検索キーワードをデータベースに照会して全文検索を行う。検索結果としては、レコードの起源となったＷｅｂページ本文の冒頭部分を所定文字数以内で提示することが多い。
【０００６】
一方ディレクトリ型検索は、あらかじめ、多数のカテゴリを階層的な樹形（ディレクトリ）構造によって体系化しておくとともに、多数のレコードを最下層のカテゴリのいずれかに分類分けして格納しておく。そして、利用者自身が目的とするレコードがどのカテゴリに含まれているのかを予想しながらディレクトリを上層から下層に辿り、目的のレコードが含まれるカテゴリを見いだす。あるいは、検索キーワードをフォームの所定欄に入力し、情報検索装置側でその検索キーワードを含んだカテゴリを検索する。そして、検索されたカテゴリに含まれるレコードを一覧にしてこれを検索結果として利用者端末に返送する
なお、情報検索に係わる技術については数多くの書籍によって著されている（例えば、非特許文献１参照）。
【０００７】
【非特許文献１】
西尾　章治郎、外５名著，「情報の構造化と検索」，第１版，２０００年
３月２７日，ｐ５２−ｐ７１、ｐ２６４−ｐ２７７
【０００８】
【発明が解決しようとする課題】
従来の情報検索装置を利用した情報検索手順としては、キーワード検索であれば、利用者は、まず適当な検索キーワードを情報検索装置に与え、このとき検索結果として提示されたレコードの数が多ければ、さらにキーワードを足して再度検索させてみる。提示されたレコードの数が絞り込まれた状態で適当なレコードに設定されているリンクを指示してレコードの起源となった情報本体を取り寄せてその内容を確かめる。これが目的の情報でない場合は、他のレコードを試してみる。なお、ディレクトリ型検索では、指定したカテゴリに含まれるレコードを一覧表示させてみた上で、適当なレコードに設定されてリンクを指示して情報の内容を確かめてみる。目的の情報に関するレコードが指定したカテゴリに無ければ、他のカテゴリを当たってみる。
【０００９】
このように従来の情報検索装置では、その検索方式がどのようなものであっても、利用者は、検索キーワードやその組み合わせを替えたり、異なるカテゴリを何度も指定してみたりするなど、試行錯誤を繰り返して情報検索装置に何度も検索クエリーを与えた上で、最終的に目的とする情報につながるレコードを見いだしている。これでは有用なレコードを素早く見出し、目的とする情報を入手するまでに多くの時間や手間が掛かる。
【００１０】
また、ある検索結果には確実に目的の情報につながるレコードが含まれているのにもかかわらず、提示されたレコードの数が多すぎて全部の内容を確かめることができずに検索を途中で断念する場合や、キーワードを追加していくなどして順調にレコードを絞り込んでいたのにもかかわらず、その絞り込み過程で追加するキーワードを間違えて、今までの検索作業が全て無駄になる場合もある。
【００１１】
【課題を解決するための手段】
本発明者らは、キーワードの選定など検索クエリー自体を工夫して目的とする情報にたどり着くという従来の情報検索プロセスを見直してみた。そして、一覧表示されているレコード中に目的とする情報に少なからず関連性があるかどうかを利用者自身に判断させ、その関連性があると思われるレコードをとりあえず他のレコードと区別しておけば、検索手順を誤った場合でも簡単に検索をやり直すことができると考えた。また、他の検索機会にその区別したレコードを再検討することで、一度の検索機会に目的が達成できなくても、別の機会に継続して検索を続けることができるとも考えた。
【００１２】
本発明はこのような考察に基づきなされたものであり、各種情報を表すレコードを蓄積したデータベースにアクセスする手段と、利用者入力された検索クエリーを受け付けて該当するレコードの一覧を閲覧可能にして出力する検索結果出力手段と、前記一覧から何れか１つ以上のレコードを選出レコードとして指定した利用者入力を受け付け、当該選出レコードを個別レコード集として識別管理する個別レコード集管理手段と、所定の利用者入力を受け付けて、前記個別レコード集の内容を閲覧可能にして出力する個別レコード集提示手段とを備えた情報検索装置としている。
【００１３】
また、この情報検索装置において、複数の前記個別レコード集を併合する旨の利用者入力を受け付け、当該複数の個別レコード集に含まれているレコードを一つの個別レコード集として識別管理する手段や、前記個別レコード集の内容を閲覧可能にして出力している状態で当該個別レコード集から何れか１つ以上のレコードを指定した利用者入力を受け付け、当該指定されたレコードを当該個別レコード集とは別の個別レコード集として識別管理する手段を備えさせてもよい。
【００１４】
また、前記個別レコード集の内容を閲覧可能にして出力している状態で、当該個別レコード集に属する複数のレコードを選出する旨の利用者入力を受け付け、これら複数のレコードを対応付けして識別管理する手段を備えさせてもよい。この場合、前記検索結果出力手段は、ある検索クエリーに基づいて閲覧可能にして出力したレコード一覧中に前記対応付けされているレコードが存在する場合、当該対応付けされているレコードを利用者に提示する手段を含んでいてもよい。
【００１５】
さらに、本発明の情報検索装置において、利用者が指定した個別レコード集を検索対象として検索クエリーを受け付け、該当するレコードの一覧を閲覧可能にして出力する手段を備えさせてもよい。
【００１６】
また、前記検索結果出力手段により閲覧可能にして出力したレコード一覧より選出されて前記個別レコード集として識別管理されレコードと、当該レコード一覧の出力起源となった検索クエリーとを関連づけする手段を備えることとしてもよい。この場合、請求項７記載の情報検索装置において、前記検索結果出力手段は、ある検索クエリーＡが、あるレコードＢに関連付けられた検索クエリーＣと所定以上の一致度を有している場合に、当該検索クエリーＡに基づき閲覧可能にして出力するレコード一覧において前記レコードＢを優先的に提示することとしてもよい。
【００１７】
【発明の実施の形態】
＝＝＝実施形態の概略＝＝＝
本発明の一実施形態として、ある企業内に設けられたＬＡＮ上に構築されたイントラネットに接続された情報検索装置を例に挙げる。図１は本実施例の情報検索装置を含むイントラネットのネットワーク構成図を示している。この情報検索装置１は、インターネット上の検索サイトを公開しているＷＷＷサーバーと同様の基本機能を備え、この企業に保管されている各種報告書や論文などの文書データと、この文書データについての内容や所在を記載したレコードとを付帯するデータベース２に大量に蓄積管理している。
【００１８】
利用者は、自身のブラウザ端末３を操作して情報検索装置１に検索クエリーを与え、情報検索装置１は、そのクエリーに基づいてデータベース２を検索する。そして、該当する文書データについてのレコードを一覧に纏め、この一覧をＷｅｂページの体裁でブラウザ端末に返送する企業内向けの情報検索サービスを提供している。
【００１９】
また、この情報検索装置１は、レコード一覧中から利用者が選出したレコードを個別のレコード集として保存したり、保存されているレコード集に含まれるレコードの一覧をＷｅｂページにしてブラウザ端末３に送達したり、あるいはレコード集に含まれるレコードに対して各種操作を受け付けたりするレコード集管理機能を備えている。
【００２０】
＝＝＝個別レコード集の作成＝＝＝
図２（Ａ）〜（Ｃ）に情報検索装置１によるレコード集管理機能を情報検索サービスの提供過程でブラウザ端末３に表示される画面遷移図によって示した。利用者は自身のブラウザ端末３にて所定のＵＲＬを指定し、情報検索装置１が提供している情報検索サービスの窓口となるＷｅｂページ（検索初期画面）を取り寄せる（図２（Ａ））。この検索初期画面１０には検索キーワードの記入欄１１とその記入欄１１に入力されたテキストをフォームデータとして情報検索装置１に送達する機能とが含まれている。利用者がブラウザ端末３にてキーワードをその記入欄１１に入力して「検索」ボタン１２を指示すると、そのキーワードは情報検索装置１に実装されている所定のＣＧＩに送達される。情報検索装置１は、このＣＧＩにより、該当するレコードをデータベース２より取り出してそのレコードを一覧にしたＷｅｂページ（検索結果画面）２０を作成し、これをブラウザ端末３に返送する（図２（Ｂ））。
【００２１】
もちろん情報検索装置１は、ディレクトリ検索型の情報検索サービスを提供することとしてもよい。いずれにしても、情報検索装置１は、キーワードをデータベース２に照会する旨の指示や、ディレクトリを下層に辿る指示などを検索クエリーとして受け付け、該当するレコードを一覧にした検索結果画面をブラウザ端末３に返送する機能を備えていればよい。
【００２２】
検索結果画面２０には、レコードごとにその内容を示すテキストが記載されているとともに、チェックボックス２１が付帯している。レコード内容を記載したテキスト部分にはそのレコードの起源となった文書データへのリンクが設定されており、そのテキストにはリンクが設定されていることを示す下線が引かれている。ブラウザ端末３にてこのリンクを指定すれば、該当する文書データがブラウザ端末３に送達される。また、利用者は提示されたレコード一覧から、目的とする情報に関連しそうな、あるいは興味を持ったレコードについて、そのレコードに付帯するチェックボックス２１を指示してチェックマークを記入した上で、「カートに入れる」ボタン２２を指示すると、ブラウザ端末３は、どのレコードのチェック欄がチェックされているのかを記述したフォームデータを情報検索装置１の所定のＣＧＩに返送する。情報検索装置１は、このフォームデータに基づいてチェック済みのレコード（選出レコード）を識別管理する。なお、このようにし識別管理される１以上の選出レコードを含む集合を「個別レコード集」と称することとする。
【００２３】
また、ブラウザ端末３と情報検索装置１とは、例えば、周知のＣｏｏｋｉｅを用いてセッションを維持し、利用者が検索結果画面２０から検索初期画面１０に戻って再度検索クエリーを情報検索装置１に与え、先に閲覧したものとは異なる検索結果画面２０上で再度選択したレコードを「カートに入れる」操作を行うと、この選出レコードも個別レコード集に追加登録される。
【００２４】
＝＝＝個別レコード集の内容閲覧＝＝＝
検索初期画面１０や検索結果画面２０、あるいは検索過程で情報検索装置１がブラウザ端末３に返送してくるＷｅｂページには「カートの中身を見る」ボタン１３が配設されている。このボタン１３をブラウザ端末３にて指示すると、情報検索装置１は、個別レコード集として識別管理されている選出レコードをデータベース２より取り出し、その選出レコードを一覧にしたＷｅｂページ（カート内容一覧画面）３０を返送する（図２（Ｃ））。このカート内容一覧画面３０には、それまでに利用者が検索結果画面２０上で選択したレコードの一覧と、各レコードに付帯するチェック欄３１と、このチェック欄３１が指示されてチェックマークが記入された状態のレコードに対して各種操作を行うためのボタン３２〜３６とが含まれている。この実施例では、チェックしたレコードについて、表示・削除・ダウンロード・印刷・関連づけの各操作を受け付けるためのボタン３２〜３６がカート内容一覧画面に配設されている。
【００２５】
「削除」ボタン３２は、個別レコード集に属するレコードとしての識別子を失うだけであり、レコード自体を削除するものではない。「印刷」「表示」「ダウンロード」の各ボタン３３〜３５は、それぞれ、レコードの起源となった文書データ本体を印刷・表示・ダウンロードするためのものである。
【００２６】
「関連づけ」ボタン３６は、複数のレコードが選択された状態でその操作を受け付けるようになっており、このボタン３６が指示されると、チェックされた複数のレコードが対応付けされてデータベース２で管理される。この対応付けは、情報検索装置１が別の検索機会において、あるレコードを検索結果として提示したとき、そのレコードに対応する他のレコードも併せて提示したり、対応するレコードがある旨を通知したりするなどのサービスを提供する際に利用できる。図３に複数のレコードの対応付けに基づくサービスの提供例を示した。この例では、検索結果画面２０ｂに過去に「関連づけ」操作がなされたレコードについては、その旨が記載されているとともに、対応付けされているレコード一覧のＷｅｂページを取り寄せるためのリンクが設定されている。情報検索装置１は、検索結果画面２０ｂのあるレコードについて、対応付けされているレコード一覧へのリンク設定箇所２４が指示されると、そのレコードに対応付けされたレコードをデータベース２より取り出し、そのレコードの一覧をＷｅｂページに作成してブラウザ端末３に返送する。もちろん、リンクを設定して関連づけされているレコードを間接的に提示しなくても、関連するレコードを検索結果画面２０ｂのレコード一覧中で提示してもよい。
【００２７】
＝＝＝個別レコード集の識別管理＝＝＝
情報検索装置１は、過去に作成された個別レコード集や他の利用者により作成されたりした個別レコード集を任意の検索機会に閲覧したり、ある検索機会に新規に選出されたレコードを過去に作成した個別レコード集に追加登録したりする場合に対応させることもできる。例えば、情報検索装置１は、新規の個別レコード集が作成されるごとにそのレコード集に固有のＩＤを発行し、このＩＤを利用者に提示する。そして、検索初期画面や検索結果画面など、情報検索装置１がブラウザ端末３との通信過程で随時送達するＷｅｂページに、個別レコード集のＩＤ記入欄と、この欄に記入されたＩＤを情報検索装置に与えるための機能とを含ませておく。図４にこのＷｅｂページの画面概略図を例示している。この図では、個別レコード集の選択機能を含んだ検索結果画面２０ｃを例示した。利用者がブラウザ端末３にて個別レコード集のＩＤをその入力欄２５に記入したうえで、先の「カートの中身を見る」ボタン１３を指示すると、この検索機会に作成された個別レコード集に替えて、該当の個別レコード集のカート内容一覧画面をブラウザ端末３に送達する。また、個別レコード集のＩＤを指定した上で「カートに入れる」ボタン２３を指示すれば、この検索結果画面上で選出されているレコードを該当の個別レコード集に追加登録する。
【００２８】
情報検索装置１にアクセスしてきたブラウザ端末３の使用者を特定するための認証機能を備えさせてもよい。そして、利用者が選択して「カート」に入れたレコードをその利用者のＩＤに対応付けして利用者別の個別レコード集として管理してもよい。それによって、利用者は自身が過去に自分が作成した専用の個別レコード集を再利用することができる。利用者を特定するためには、例えば、ＩＤとパスワードの組み合わせを管理しておき、アクセスしてきたブラウザ端末３にその組み合わせを入力／送付させればよい。情報検索装置１は、認証手続きに基づいて利用者を特定した上で、ブラウザ端末３による「カートの中身を見る」操作に基づいてカート内容の閲覧要求が送付されてくると、先に特定した利用者の個別レコード集のカート内容一覧画面を送達する。もちろん、一人の利用者が複数の個別レコード集を情報検索装置１に登録してもよい。この場合には、個別レコード集のＩＤも併せてブラウザ端末３に送付させればよい。
【００２９】
このように、異なるセッション機会で一つの個別レコード集を共有できるようにすることで、複数の検索機会を通じて有用なレコードとそうでないレコードとが適当に取捨選択されていき、最終的に、個別レコード集には利用者にとって最も有用なレコードが登録された状態となる。また、企業内の部門ごとに特定の個別レコード集を利用するようにしておけば、その部門の人による情報検索装置１の利用を通じて、部門用の個別レコード集が作成されたり、作成済みのレコード集に対して各種編集がなされたりしていき、その部門にとって有用な情報をその部門の人全員が共有することができる。
【００３０】
＝＝＝検索クエリーと選出レコードの履歴管理＝＝＝
ある検索クエリーに基づいて検索結果画面にて提示したレコード一覧から選出されて「カート」に入れられたレコードは、他のレコードに比べてその起源となった検索クエリーとより密接な関係があるといえる。そこで、ある検索クエリーを起源としてある個別レコード集が作成された場合、この個別レコード集に含まれる各レコードにその起源となったクエリーを対応付けして管理しておく。そうすることで、例えば、他の利用者がある検索クエリーを入力した場合に、この検索クエリーと一致する検索クエリーに対応付けられたレコードを優先的に提示したり、このレコードが個別レコード集として選出された旨を提示したりして、目的とする情報を利用者が少しでも入手しやすいようなユーザインタフェース環境を提供することができる。なお、この場合、検索クエリーか一致するかどうかの判定条件は、例えば、複数のキーワードとその条件（ａｎｄやｏｒなど）が全部一致することを条件としたり、一部のキーワードが一致することを条件としたり、あるいは、同義語辞書を参照して同義であると判定されることを条件とする等、適宜に設定可能である。
【００３１】
＝＝＝絞り込み検索＝＝＝
個別レコード集に登録されている選出レコードを検索対象として、キーワード検索を行ってレコードの絞り込み検索を行えるようにしてもよい。図５にこの絞り込み検索機能を含んだカート内容一覧画面の概略図を示した。この例では、カート内容一覧画面３０ｂに検索キーワードの記入欄３７と「絞り込み」ボタン３８とが含まれている。ブラウザ端末３にて、検索キーワードをその記入欄３７に入力して「絞り込み」ボタン３８を指示すると、情報検索装置１にはこの検索キーワードとともにこの画面にて表示されている個別レコード集の識別子とが送達される。情報検索装置１は、該当する個別レコード集を検索対象とした上で与えられたキーワードをデータベース２に照会し、該当するレコードの一覧をＷｅｂページにしてブラウザ端末３に送達する。
【００３２】
＝＝＝個別レコード集の併合・分割＝＝＝
ある個別レコード集に含まれているレコードの部分集合を他の個別レコード集として分割したり、複数の個別レコード集を一つの個別レコード集に併合したりできるようにしてもよい。
【００３３】
＝＝＝ユーザインタフェース・装置構成＝＝＝
情報検索装置がブラウザ端末との通信を通じて利用者に提供するユーザインタフェース環境は上記実施例に限らない。例えば、検索結果画面上で、レコードに設定されたリンクを指示して該当の文書データ本体を取り寄せたことをもって、そのレコードが選出されて個別レコード集に登録されるようにしてもよいし、レコードごとに「カートに入れる」ボタンを配設しておけば、選出するレコードの記載欄に付帯するチェックボックスを指示した上で「カートに入れる」操作をする必要がない。
【００３４】
また、情報検索装置は、ネットワークを介して利用者入力を受け付ける構成でなくてもよい。利用者入力を直接受け付けてその応答を表示出力するユーザインタフェースを備えた単独の情報処理装置であってもよい。
【００３５】
なお本発明の情報検索装置の技術思想は、インターネット上で検索サイトを公開しているＷＷＷサーバーなど、データベース検索処理を実行する情報処理装置にも適用可能である。
【００３６】
【発明の効果】
本発明の情報検索装置によれば、利用者が提示された多数のレコードから選出したレコードを個別レコード集としてデータベースで識別管理することができる。それによって利用者は、目的とする情報を入手する際に、個別レコード集の内容を再検討するだけでよく、大量のレコードについてその内容を逐一調べたり、何度も検索クエリーをデータベース照会したりする必要がない。したがって、利用者は目的とする情報を素早く入手することができる。
【図面の簡単な説明】
【図１】本発明の実施例に係る情報検索装置を含むネットワーク構成図である。
【図２】上記情報検索装置による情報検索サービスの提供過程をブラウザ端末に表示される画面遷移図によって示している。（Ａ）〜（Ｃ）にそれぞれ、検索初期画面、検索結果画面、カート内容一覧画面の概略図を示した。
【図３】上記情報検索装置が互いに関連づけされたレコードを提示する機能を備えている場合の検索結果画面の概略図である。
【図４】上記情報検索装置が個別レコード集の指定入力を受け付ける機能を備えている場合の検索結果画面の概略図である。
【図５】上記情報検索装置が個別レコード集からの絞り込み検索機能を備えている場合のカート内容一覧画面の概略図である。
【符号の説明】
１　情報検索装置
２　データベース
３　ブラウザ端末
１０　検索初期画面
２０、２０ｂ、２０ｃ　検索結果画面
３０、３０ｂ　カート内容一覧画面
【図１】
2004139154.tif 000003
【図２】
2004139154.tif 000004
【図３】
2004139154.tif 000005
【図４】
2004139154.tif 000006
【図５】
2004139154.tif 000007